(57)【要約】【課題】記事データベースを媒介として、最適な医療情報担当者（ＭＲ）と医師とをマッチングさせる。【解決手段】記事情報とともに記事に含まれる薬剤の一般名称表記から製品名と製造メーカー名を抽出してこれらを関連付けて登録した記事データベースと、製品名毎にその医療情報担当者の連絡先情報を関連付けて登録した名刺データベースと、医師名と連絡先情報と診療領域とを関連付けて登録した医師データベースと、ネットワークに接続された情報端末からの要求に基づいて医療情報を提供する医療情報提供サーバとからなり、前記医療情報提供サーバは、医師用情報端末に前記記事データベースから抽出した記事情報を表示し、薬剤、疾患または診療科目をキーワードに前記記事データベースの検索を受け付けるとともに、前記検索キーワードに関連して前記医師毎に生成された医療情報担当者の連絡先情報を表示するようにした。【選択図】図１
2008123119.tif 000002
【特許請求の範囲】
【請求項１】
記事情報とともに記事に含まれる薬剤の一般名称表記から製品名と製造メーカー名を抽出してこれらを関連付けて登録した記事データベースと、
製品名毎にその医療情報担当者の連絡先情報を関連付けて登録した名刺データベースと、医師名と連絡先情報と診療領域とを関連付けて登録した医師データベースと、
ネットワークに接続された情報端末からの要求に基づいて医療情報を提供する医療情報提供サーバとからなるコンテンツ・検索語連動型名刺表示システムにおいて、
前記医療情報提供サーバは、医師用情報端末に前記記事データベースから抽出した記事情報を表示し、
薬剤、疾患または診療科目をキーワードに前記記事データベースの検索を受け付けるとともに、
前記検索キーワードに関連して前記医師毎に生成された医療情報担当者の連絡先情報を表示するコンテンツ・検索語連動型名刺表示システム。
【請求項２】
記事情報とともに記事に含まれる一般名称表記から製品・サービス名と製造メーカー名・サービス会社名を抽出してこれらを関連付けて登録した記事データベースと、
製品・サービス名毎にその情報担当者の連絡先情報を関連付けて登録した名刺データベースと、
あらかじめ名検索ユーザの連絡先情報とを関連付けて登録した専門家データベースと、
ネットワークに接続された検索ユーザの情報端末からの要求に基づいて製品・サービス情報を提供する製品・サービス情報提供サーバとからなるコンテンツ・検索語連動型名刺表示システムにおいて、
前記製品・サービス情報提供サーバは、検索者ユーザの情報端末に前記記事データベースから抽出した記事情報を表示し、
製品・サービス名をキーワードに前記記事データベースの検索を受け付けるとともに、
前記検索キーワードに関連して検索ユーザ毎に生成された情報担当者の連絡先情報を表示するコンテンツ・検索語連動型名刺表示システム。
【発明の詳細な説明】
【技術分野】
【０００１】
本発明は、専門分野における記事データと、その記事データに記載された製品の製品情報担当者と、その製品を使う専門家との間の情報連携を行うコンテンツ・検索語連動型名刺表示システムに関する。
【背景技術】
【０００２】
医療分野では、医療専門情報誌の記事が薬剤の情報を得るために有効な手段であり、医師はこのような医療専門情報誌を閲覧してその薬剤に関するメーカーの医療情報担当者（ＭＲ）と連絡をとり当該薬剤を購入する場合が一般的であった。
【発明の開示】
【発明が解決しようとする課題】
【０００３】
しかし、医師からみれば記事だけを手がかりにその薬剤に最適なＭＲを探し出すことは難しく、一方のＭＲにとっても自分が扱っている薬剤を必要としている研究分野の医師を捜し出すことは至難の業であった。
【０００４】
さらに、このような課題は医療分野においても、医師以外に歯科医師、獣医師の業務分野においてもあてはまることであり、さらに弁護士、公認会計士、弁理士等の専門家にも専門に関する情報提供者を探し出す困難性は同様であった。
【０００５】
本発明は、このような点に鑑みてなされたものであり、記事データベースを媒介として、最適なＭＲと医師とをマッチングさせるネットワーク技術を提供することを技術的課題とする。
【課題を解決するための手段】
【０００６】
前記課題を解決するために、本発明では、以下の手段を採用した。
すなわち、本発明は、記事情報とともに記事に含まれる薬剤の一般名称表記から製品名と製造メーカー名を抽出してこれらを関連付けて登録した記事データベースと、製品名毎にその医療情報担当者の連絡先情報を関連付けて登録した名刺データベースと、医師名と連絡先情報と診療領域とを関連付けて登録した医師データベースと、ネットワークに接続された情報端末からの要求に基づいて医療情報を提供する医療情報提供サーバとからなるコンテンツ・検索語連動型名刺表示システムにおいて、前記医療情報提供サーバは、医師用情報端末に前記記事データベースから抽出した記事情報を表示し、薬剤、疾患または診療科目をキーワードに前記記事データベースの検索を受け付けるとともに、前記検索キーワードに関連して前記医師毎に生成された医療情報担当者の連絡先情報を表示するコンテンツ・検索語連動型名刺表示システである。
【０００７】
また、本発明の第２は、記事情報とともに記事に含まれる一般名称表記から製品・サービス名と製造メーカー名・サービス会社名を抽出してこれらを関連付けて登録した記事データベースと、製品・サービス名毎にその情報担当者の連絡先情報を関連付けて登録した名刺データベースと、あらかじめ名検索ユーザの連絡先情報とを関連付けて登録した専門家データベースと、ネットワークに接続された検索ユーザの情報端末からの要求に基づいて製品・サービス情報を提供する製品・サービス情報提供サーバとからなるコンテンツ・検索語連動型名刺表示システムにおいて、前記製品・サービス情報提供サーバは、検索者ユーザの情報端末に前記記事データベースから抽出した記事情報を表示し、製品・サービス名をキーワードに前記記事データベースの検索を受け付けるとともに、前記検索キーワードに関連して検索ユーザ毎に生成された情報担当者の連絡先情報を表示するコンテンツ・
検索語連動型名刺表示システムである。
【発明の効果】
【０００８】
本発明によれば、記事データベースを媒介として、最適な医療情報担当者（ＭＲ）と医師、歯科医師、獣医師、さらには製品・サービスに関する情報提供者と専門家とをいわばワン・トゥ・ワン（Ｏｎｅ  Ｔｏ  Ｏｎｅ）でマッチングさせることができる。
【発明を実施するための最良の形態】
【０００９】
図１は、本発明の概念を示す図である。
同図に示すように、本発明は、薬剤の製品名と医療情報担当者の連絡先（住所情報）情報とを関連付けた医療情報担当者（ＭＲ）データベースと、医師名と連絡先情報（住所情報）と診療領域とを関連付けて登録した医師データベースと、記事データベースとが相互に連動して検索が行われるようになっている。
【００１０】
記事データベースは、医療関連の記事から、薬剤名、その一般名称、製造メーカー名をメタデータとして抽出して登録しており、該当する製薬メーカーの医療情報担当者（ＭＲ）を目的の医師とマッチングさせられるようになっている。
【００１１】
また、医師と医療情報担当者（ＭＲ）とは、住所データで相互に関連付けられている。また、医師はその専門の診療領域とそれに用いられる薬剤とで医療情報担当者（ＭＲ）と関連付けられるようになっている。
【００１２】
以上説明した関連付けは、医療情報提供サーバによってなされる。
【００１３】
図２において、ＭＴｐｒｏＣＭＳは医療情報提供サーバで、専門紙・一般紙等の新聞・雑誌のデータベースと連動した医療情報を提供するようになっている。また、ＭＴｐｒｏ会員ＤＢは医師データベースである。
【００１４】
同図において、医療情報提供サーバ（ＭＴｐｒｏＣＭＳ）は、図示しない新聞社サーバから各新聞社の記事情報から薬剤名、その一般名称、製造メーカー名をメタデータとして抽出して登録している。
【００１５】
医療情報提供サーバ（ＭＴｐｒｏＣＭＳ）に対しては、シソーラスエンジン（類似語検索プログラム）、検索エンジンによって類似語検索が可能となっている。
【００１６】
医師は、ＭＴｐｒｏ会員ＤＢに対して、アカウント登録した後に、自分の個人情報（たとえば、氏名、住所、診療分野等）を登録する。このように医師の会員登録が完了すると、医師の情報端末（ネットワーク接続されて、ブラウザプログラムがインストールされたパーソナルコンピュータ）には医療情報提供サーバで生成された初期画面情報（ＭＴｐｒｏトップ画面）がダウンロードされて表示される。
【００１７】
一方、医療情報担当者（ＭＲ）は、自身の端末装置を介して自分の個人情報（たとえば、氏名、住所、薬剤名、メーカー名）を名刺データベースに登録しておく。
【００１８】
医師の端末装置に表示される初期画面（ＭＴｐｒｏトップ画面）には、検索キーワード入力窓が用意されており、薬剤名、疾患名、診療科目名で検索が可能となっている。
【００１９】
前記医療情報提供サーバは、これらの検索キーワードが入力されると、シソーラスエンジン、検索エンジンを起動し、これらのエンジンの出力結果（たとえば検索キーワードの類似語等）に基づいて記事データベースにアクセスする。そして検索結果データをＸＭＬま
たはＨＴＭＬ形式のフォーマットデータに整形して、医師の情報端末にダウンロードさせる。
【００２０】
なお、このときに薬剤名を検索キーワードとしたときには、検索結果を表示するとともに、「ＭＲに話を聞く」ボタンを表示させる。
【００２１】
この「ＭＲに話を聞く」ボタンの表示領域が補助入力装置（マウス）等で指定されると、医療情報提供サーバは、当該薬剤名に関連付けられた医療情報担当者（ＭＲ）の中から医師の住所に一致するまたは近い住所の医療情報担当者（ＭＲ）を抽出して、医師個別対応ＭＲ名刺ホルダーとしてＸＭＬまたはＨＴＭＬ形式のフォーマットデータに整形して、医師の情報端末にダウンロードさせる。
【００２２】
そして、この中から医師が補助入力装置（マウス）を用いて特定の医療情報担当者を指定する（マウスでクリックする）と、指定された情報（ＭＲコール）が製薬メーカーのサーバまたは医療情報担当者の端末装置に通知されるようになっている。
【００２３】
図３の下段図は、本実施形態において、医師が端末装置に表示された初期画面において、「糖尿病」という疾患名を入力した場合の検索手順を示したものである。
【００２４】
当該下段図において、「糖尿病」という検索キーワードが入力されると、シソーラスエンジン、検索エンジンが起動されて、医療情報提供サーバの類似語辞書、日英辞書、薬剤辞書等の辞書データが検索されて、検索キーワードの「糖尿病」に対する「インスリン」、「ｄｉａｂｅｔｅｓ」、「ピオグリタゾン」等の抽出語がそれぞれ索出される。
【００２５】
そして、これらの抽出語を含む記事情報が記事データベースから索出されて、これらの記事データベースに関連付けられた薬剤名に対して、検索を行った医師の住所等で関連付けられた医療情報担当者の一覧が当該医師のＭＲ名刺ホルダーとしてＸＭＬまたはＨＴＭＬ形式のフォーマットデータに整形されて、医師の情報端末にダウンロード・表示される。
【００２６】
そして、この中から医師が補助入力装置（マウス）を用いて特定の医療情報担当者を指定する（マウスでクリックする）と、指定された情報（ＭＲコール）が製薬メーカーのサーバまたは医療情報担当者の端末装置に通知されるようになっている。
【００２７】
このように本実施形態によれば、図３の上段図に示した従来技術と比較して、当該医師の記事情報の検索結果と連動した最適な医療情報担当者（ＭＲ）をマッチングさせることができる。
【００２８】
なお、以上の説明では、情報担当者をＭＲとしてその名刺情報を連絡先情報として登録し、記事検索を媒介として医師の連絡先情報とマッチングさせる場合で説明したが、医師は歯科医師、獣医師等であってもよい。
【００２９】
また、情報担当者は製品・サービスに関する営業担当者であってもよく、検索ユーザは医師以外に弁護士、公認会計士、弁理士等の専門家であってもよい。
【産業上の利用可能性】
【００３０】
本発明は、医師と医療情報担当者（ＭＲ）との相互情報ネットワークに利用できる。さらに、歯科医師、獣医師と医療情報担当者（ＭＲ）との相互情報ネットワークに利用できる。
【図面の簡単な説明】
【００３１】
【図１】本発明のデータベース相互の連携を示す概念図
【図２】実施形態のシステム構成図
【図３】実施形態の検索の具体例を従来技術（上段図）との比較で示す図
【図１】
2008123119.tif 000003
【図２】
2008123119.tif 000004
【図３】
2008123119.tif 000005